(57)【特許請求の範囲】
【請求項１】
携帯端末装置と通信接続可能な電気機器であって、
目的データを記憶する設定記憶領域を含む可変記憶部と、
少なくとも前記設定記憶領域のアドレスを示す設定アドレス情報を含む固定データを、他の電気機器と共通するアドレスである特定アドレスに記憶する固定記憶部と、
前記携帯端末装置と通信を行う機器通信部と、
前記可変記憶部及び前記固定記憶部から、前記携帯端末装置により指定されるアドレスに記憶されるデータを読み出し、その読み出された読出データを前記機器通信部によって前記携帯端末装置へ送信させるアクセス制御部とを備える電気機器。
【請求項２】
前記アクセス制御部は、
前記固定記憶部から、前記携帯端末装置により指定される前記特定アドレスに記憶される固定データを読み出して、その読み出された固定データを前記機器通信部によって前記携帯端末装置へ送信させ、
前記可変記憶部から、前記携帯端末装置により指定される前記設定アドレス情報が示すアドレスに記憶される目的データを読み出し、その読み出された目的データを前記機器通信部によって前記携帯端末装置へ送信させる
請求項１に記載の電気機器。
【請求項３】
前記電気機器は、
前記可変記憶部に前記目的データを記憶させる機器制御部をさらに備え、
前記機器制御部は、前記可変記憶部の、前記目的データが記憶された記憶領域のアドレスを示す情報を、前記設定アドレス情報として前記固定記憶部に記憶させる
請求項１又は２に記載の電気機器。
【請求項４】
前記可変記憶部は、第１可変記憶部と第２可変記憶部とを含み、
前記可変記憶部の読出し要求は、前記第１可変記憶部の読出し要求又は前記第２可変記憶部の読出し要求であり、
前記機器制御部は、前記目的データを前記第１可変記憶部に記憶させ、
前記アクセス制御部は、前記機器通信部によって受信された、前記可変記憶部の前記読出し要求が、前記第１可変記憶部の読み出し要求か否かを判断し、前記第１可変記憶部の読み出し要求であった場合、前記読出し要求により指定されたアドレスを指定して前記機器制御部に前記第１可変記憶部の読み出しを要求し、前記機器制御部により読み出されたデータを取得することによって間接的に前記第１可変記憶部から前記目的データを読出す請求項３記載の電気機器。
【請求項５】
前記アクセス制御部は、前記機器通信部によって受信された、前記可変記憶部の前記読出し要求が、前記第２可変記憶部の読み出し要求か否かを判断し、前記第２可変記憶部の読み出し要求であった場合、直接前記第２可変記憶部から前記第２可変記憶部に記憶された目的データを読出す
請求項４記載の電気機器。
【請求項６】
前記可変記憶部は、前記電気機器へ動作を指示するための制御命令の書込を受け付ける命令受付領域を含み、
前記固定データは、前記命令受付領域のアドレスを示す制御命令書込アドレスを含む請求項１〜５のいずれか１項に記載の電気機器。
【請求項７】
前記機器通信部が、前記携帯端末装置との間で行う前記通信は、近距離無線通信である請求項１〜６のいずれか１項に記載の電気機器。
【請求項８】
電気機器と通信可能な携帯端末装置であって、
前記電気機器の機器通信部と通信を行う携帯通信部と、
複数の電気機器に共通するアドレスである特定アドレスを記憶する特定アドレス記憶部と、
前記携帯通信部によって前記機器通信部へ、前記特定アドレスを指定して前記電気機器が備える記憶部に記憶された固定データを読み出すことを要求することにより、前記機器通信部から前記固定データを取得する固定データ取得部と、
前記固定データ取得部によって取得された前記固定データに含まれる設定アドレス情報に応じたアドレスを指定して前記電気機器が備える記憶部に記憶された目的データを読み出すことを要求することにより、前記機器通信部から前記目的データを取得する目的データ取得部と
を備える携帯端末装置。
【請求項９】
前記携帯端末装置は、
前記固定データが示す一又は複数の情報の意味と、前記固定データ中の、前記一又は複数の情報が配置される位置とを示すフォーマット情報を、複数、前記各フォーマット情報を識別するフォーマット識別情報と対応付けて予め記憶するフォーマット情報記憶部をさらに備え、
前記固定データは、自データに対応する前記フォーマット識別情報を含み、
前記目的データ取得部は、前記固定データに含まれる前記フォーマット識別情報と対応付けて前記フォーマット情報記憶部に記憶されたフォーマット情報に基づいて、前記固定データ取得部によって取得された前記固定データから、前記設定アドレス情報を取得する請求項８に記載の携帯端末装置。
【請求項１０】
前記固定データは、自データが正しいか否かを確認するための誤り検出符号を含み、
前記固定データ取得部は、前記取得された固定データが正しいか否かを、その固定データに含まれる誤り検出符号に基づき判定する請求項８又は９に記載の携帯端末装置。
【請求項１１】
前記携帯通信部が、前記電気機器との間で行う前記通信は、近距離無線通信である請求項８〜１０のいずれか１項に記載の携帯端末装置。
【請求項１２】
電気機器からデータを取得するための通信方法であって、
前記電気機器へ複数の電気機器に共通するアドレスである特定アドレスを指定して、前記電気機器が備える記憶部に記憶された固定データを読み出すことを要求し、
前記要求に応じて前記電気機器によって読み出された前記固定データを前記電気機器から取得し、
取得された前記固定データに含まれる設定アドレス情報に応じたアドレスを指定して、前記電気機器が備える記憶部に記憶された目的データを読み出すことを要求し、
前記要求に応じて前記電気機器によって読み出された前記目的データを前記電気機器から取得する
通信方法。
【請求項１３】
電気機器と通信する携帯端末装置によって実行されるコンピュータプログラムであって、
前記電気機器へ複数の電気機器に共通するアドレスである特定アドレスを指定して、前記電気機器が備える記憶部に記憶された固定データを読み出すことを要求するステップと、
前記要求に応じて前記電気機器によって読み出された前記固定データを前記電気機器から取得するステップと、
取得された前記固定データに含まれる設定アドレス情報に応じたアドレスを指定して、前記電気機器が備える記憶部に記憶された目的データを読み出すことを要求するステップと、
前記要求に応じて前記電気機器によって読み出された前記目的データを前記電気機器から取得するステップと
を含むコンピュータプログラム。
【請求項１４】
電気機器と、
前記電気機器と通信を行う携帯端末装置とを備え、
前記電気機器は、
目的データを記憶する設定記憶領域を含む可変記憶部と、
少なくとも前記設定記憶領域のアドレスを示す設定アドレス情報を含む固定データを記憶するものであって、前記固定データを他の電気機器と共通するアドレスである特定アドレスに記憶する固定記憶部と、
前記携帯端末装置と通信を行う機器通信部と、
前記可変記憶部及び前記固定記憶部からデータを読み出し、その読み出された読出データを前記機器通信部によって前記携帯端末装置へ送信させるアクセス制御部とを備え、
前記携帯端末装置は、
前記機器通信部と通信を行う携帯通信部と、
前記特定アドレスを記憶する特定アドレス記憶部と、
前記携帯通信部によって前記機器通信部へ、前記特定アドレスを指定する前記固定記憶部の読出し要求を送信させることにより、前記機器通信部から前記固定データを前記読出データとして送信させ、前記固定データを取得する固定データ取得部と、
前記固定データ取得部によって取得された前記固定データに含まれる前記設定アドレス情報を取得し、前記取得された設定アドレス情報に基づき読出しアドレスを指定する前記可変記憶部の読出し要求を、前記携帯通信部によって前記機器通信部へ送信させることにより、前記機器通信部から前記目的データを前記読出データとして送信させ、前記送信された読出データから前記目的データを取得する目的データ取得部とを備える通信システム。
【請求項１５】
前記電気機器は、
前記目的データを暗号化する機器暗号化部をさらに備え、
前記アクセス制御部は、前記機器通信部によって、前記可変記憶部の読出し要求が受信されたとき、前記受信された読出し要求により指定された読出しアドレスから読み出された読出データを、前記暗号化部によって暗号化させ、前記暗号化された読出データを、前記機器通信部によって前記携帯端末装置へ送信させ、
前記目的データ取得部は、前記暗号化された目的データを取得する請求項１４記載の通信システム。
【発明の詳細な説明】
【技術分野】
【０００１】
本発明は、電気機器に記憶されたデータを伝送する通信システム、電気機器、及び携帯端末装置に関する。
【背景技術】
【０００２】
近年、冷蔵庫、電子レンジ、洗濯機、体重計、及び体脂肪計等、種々の家庭用電気機器のデジタル化、及び高機能化が進展している。そして、これら電気機器のデジタル化、高機能化に伴い、電気機器内に様々なデータを蓄積し、これらのデータを電気機器から無線通信により機器外部へ読み出して、情報のモニタリングや新たなサービスに活用しようとする試みがなされている。
【０００３】
このように、機器に記憶されたデータを外部に読み出す技術として、無線カードの記憶部に記憶されているデータを、読出し装置から、記憶部のアドレスとデータ長とを指定して無線通信で読み出す技術が知られている（例えば、特許文献１参照）。
【先行技術文献】
【特許文献】
【０００４】
【特許文献１】特開平６−１８７５１９号公報
【発明の概要】
【発明が解決しようとする課題】
【０００５】
しかしながら、冷蔵庫、電子レンジ、洗濯機、体重計、及び体脂肪計等、種々の家庭用電気機器からデータを読み出す場合、これらの機器は、それぞれ記憶しているデータの種類や量が異なる。例えば、冷蔵庫であれば、庫内温度を記憶しており、記憶されているデータ量は少ない。一方、体脂肪計では、例えばユーザが毎日計測した体脂肪率のデータを長期間にわたって記憶するため、記憶されているデータ量が多い。また、各電気機器の設計上の事情から、データが記憶されるアドレスが、機器の型式毎に異なるアドレスに設定される場合もある。
【０００６】
このように、先行技術に記載されている無線カードのように、規格が標準化され、データの記憶されているアドレスやデータ量が統一されている場合とは異なり、家庭用電気機器のように種類や型式が数多く存在する電気機器は、データが記憶されているアドレスも、そのデータのデータ量も電気機器毎に異なっている。そのため、このような電気機器に記憶されているデータを、アドレスを指定して電気機器の外部に読み出すことが困難であるという、不都合があった。
【０００７】
本発明の目的は、電気機器に記憶されているデータを、アドレスを指定して電気機器の外部に読み出すことが容易な通信システム、電気機器、及び携帯端末装置を提供することである。
【課題を解決するための手段】
【０００８】
本発明の一局面に従う通信システムは、電気機器と、前記電気機器と通信を行う携帯端末装置とを備え、前記電気機器は、目的データを記憶する設定記憶領域を含む可変記憶部と、少なくとも前記設定記憶領域のアドレスを示す設定アドレス情報を含む固定データを記憶するものであって、前記固定データを他の電気機器と共通するアドレスである特定アドレスに記憶する固定記憶部と、前記携帯端末装置と通信を行う機器通信部と、前記可変記憶部及び前記固定記憶部からデータを読み出し、その読み出された読出データを前記機器通信部によって前記携帯端末装置へ送信させるアクセス制御部とを備え、前記携帯端末装置は、前記機器通信部と通信を行う携帯通信部と、前記特定アドレスを記憶する特定アドレス記憶部と、前記携帯通信部によって前記機器通信部へ、前記特定アドレスを指定する前記固定記憶部の読出し要求を送信させることにより、前記機器通信部から前記固定データを前記読出データとして送信させ、前記固定データを取得する固定データ取得部と、前記固定データ取得部によって取得された前記固定データに含まれる前記設定アドレス情報を取得し、前記取得された設定アドレス情報に基づき読出しアドレスを指定する前記可変記憶部の読出し要求を、前記携帯通信部によって前記機器通信部へ送信させることにより、前記機器通信部から前記目的データを前記読出データとして送信させ、前記送信された読出データから前記目的データを取得する目的データ取得部とを備える。
【０００９】
また、本発明の一局面に従う電気機器は、外部機器の所定のアドレスを特定アドレスとして指定する読出し要求を送信することにより前記外部機器から所定のアドレス情報を含むデータを送信させ、その送信されたデータを取得し、その取得されたデータに含まれる前記アドレス情報に基づき読出しアドレスを指定する読出し要求を前記外部機器へ送信することにより前記外部機器から目的データを送信させることが可能な携帯端末装置と通信接続可能な電気機器であって、前記目的データを記憶する設定記憶領域を含む可変記憶部と、少なくとも前記設定記憶領域のアドレスを示す設定アドレス情報を含む固定データを記憶し、前記固定データを前記特定アドレスに記憶する固定記憶部と、前記携帯端末装置と通信を行う機器通信部と、前記可変記憶部及び前記固定記憶部からデータを読み出し、その読み出された読出データを前記機器通信部によって前記携帯端末装置へ送信させるアクセス制御部とを備え、前記特定アドレスは、他の電気機器と共通するアドレスである。
【００１０】
また、本発明の一局面に従う携帯端末装置は、目的データを記憶する設定記憶領域を含む可変記憶部と、少なくとも前記設定記憶領域のアドレスを示す設定アドレス情報を含む固定データを記憶し、前記固定データを他の電気機器と共通するアドレスである特定アドレスに記憶する固定記憶部と、外部の端末装置と通信を行う機器通信部と、前記可変記憶部及び前記固定記憶部からデータを読み出し、その読み出された読出データを前記機器通信部によって前記外部の端末装置へ送信させるアクセス制御部とを備えた電気機器と通信可能な携帯端末装置であって、前記電気機器の前記機器通信部と通信を行う携帯通信部と、前記特定アドレスを記憶する特定アドレス記憶部と、前記携帯通信部によって前記機器通信部へ、前記特定アドレスを指定する前記固定記憶部の読出し要求を送信させることにより、前記機器通信部から前記固定データを前記読出データとして送信させ、前記固定データを取得する固定データ取得部と、前記固定データ取得部によって取得された前記固定データに含まれる前記設定アドレス情報を取得し、前記取得された設定アドレス情報に基づき読出しアドレスを指定する前記可変記憶部の読出し要求を、前記携帯通信部によって前記機器通信部へ送信させることにより、前記機器通信部から前記目的データを前記読出データとして送信させ、前記送信された読出データから前記目的データを取得する目的データ取得部とを備える。
【発明の効果】
【００１１】
このような構成の通信システム、電気機器、及び携帯端末装置は、電気機器に記憶されているデータを、アドレスを指定して電気機器の外部に読み出すことが容易である。
【図面の簡単な説明】
【００１２】
【図１】本発明の一実施形態に係る通信システムの全体構成を示すブロック図である。
【図２】図１に示す電気機器の詳細な構成の一例を示すブロック図である。
【図３】図１に示す携帯端末装置及びサーバ装置の詳細な構成の一例を示すブロック図である。
【図４Ａ】図３に示すフォーマット情報記憶部に記憶されるフォーマット情報の一例を示す説明図である。
【図４Ｂ】図３に示すフォーマット情報記憶部に記憶されるフォーマット情報の他の一例を示す説明図である。
【図５Ａ】図２に示す固定記憶部に記憶される固定データの一例を示す説明図である。
【図５Ｂ】図２に示す固定記憶部に記憶される固定データの一例を示す説明図である。
【図６】図１に示す通信システムの動作の一例を示す説明図である。
【図７】図１に示す通信システムの動作の一例を示す説明図である。
【図８】図１に示す通信システムの動作の一例を示す説明図である。
【図９】図１に示す通信システムの動作の一例を示す説明図である。
【図１０】電気機器が電子レンジの場合に、携帯端末装置の表示部に表示される操作画面の一例を示す説明図である。
【図１１】電気機器が冷蔵庫の場合に、携帯端末装置の表示部に表示される操作画面の一例を示す説明図である。
【発明を実施するための形態】
【００１３】
以下、本発明に係る実施形態を図面に基づいて説明する。なお、各図において同一の符号を付した構成は、同一の構成であることを示し、その説明を省略する。図１は、本発明の一実施形態に係る通信システムの全体構成を示すブロック図である。図１に示す通信システム１は、電気機器２、携帯端末装置４、及びサーバ装置５を含んでいる。そして、携帯端末装置４は、ネットワーク６を介してサーバ装置５と通信可能に接続されている。
【００１４】
電気機器２は、例えば体重計、体脂肪計、血圧計等の生体情報計測装置であってもよく、気温や湿度などの環境情報を計測、記録するデータロガー等の計測装置であってもよく、テレビ、冷蔵庫、洗濯機、電子レンジ等であってもよく、その他種々の電気機器であってもよい。電気機器２は、例えば近接無線通信（NFC：Near Field Communication）によって、携帯端末装置４と通信可能にされている。電気機器２は、例えば、主に制御部２１と、ＲＦＩＤ（Radio Frequency Identification）チップ２２と、ループアンテナ２３とを備えている。ネットワーク６は、例えばインターネット、電話回線、移動体通信網等の通信ネットワークである。
【００１５】
また、電気機器２と同様、制御部２１、ＲＦＩＤチップ２２、及びループアンテナ２３を備え、携帯端末装置４と通信可能な種々の電気機器２ａ，２ｂ（他の電気機器）等が市場に流通し、あるいはユーザの住居に設置されている。電気機器２ａ，２ｂは、他の電気機器の一例である。電気機器２ａ，２ｂは、例えば電気機器２とは違う種類の家電機器であったり、電気機器２と同じ種類の家電機器であるが、型式の異なる家電機器であったりする。通信システム１は、これら電気機器２ａ，２ｂも含んでいてもよい。
【００１６】
携帯端末装置４は、例えば携帯電話機などのユーザが携帯可能な通信装置である。サーバ装置５は、例えば遠隔地に設置されたデータセンターのコンピュータや、通信プロバイダやサービス事業者等が管理するコンピュータ等である。
【００１７】
図２は、図１に示す電気機器２の詳細な構成の一例を示すブロック図である。図３は、図１に示す携帯端末装置４及びサーバ装置５の詳細な構成の一例を示すブロック図である。図２に示す電気機器２は、制御部２１と、ＲＦＩＤチップ２２と、ループアンテナ２３と、時計部２４とを備えている。ＲＦＩＤチップ２２は、例えばＲＦＩＤタグに用いられるＲＤＩＤ用の集積回路である。
【００１８】
ＲＦＩＤチップ２２は、ＮＦＣ―ＩＦ（Near Field Communication- Interface）回路２２１（機器通信部の一例）、アクセス制御部２２２、機器復号化部２２３、機器暗号化部２２４、不揮発性メモリ２２５、及び制御部２１との間でシリアル通信を行う図略の通信ＩＦ回路を含んでいる。不揮発性メモリ２２５は、固定記憶部２２６と第２可変記憶部２２７とを含んでいる。不揮発性メモリ２２５としては、例えばＦｅＲＡＭ（Ferroelectric Random Access Memory）やフラッシュメモリ等、種々の記憶素子を用いることができる。
【００１９】
固定記憶部２２６は、予め設定された特定アドレス（例えばＡｄｄｒ１〜Ａｄｄｒ８）に配置され、少なくとも後述する設定アドレス情報を記憶する。特定アドレスは、電気機器２，２ａ，２ｂにおいて、同じアドレスである。また、固定記憶部２２６は、後述するフォーマット番号（フォーマット識別情報の一例）を記憶している。
【００２０】
時計部２４は、現在の日時、及び時刻を計時する計時回路である。時計部２４としては、例えばＲＴＣ（Real Time Clock）が用いられる。
【００２１】
制御部２１は、例えば所定の演算処理を実行するＣＰＵ（Central Processing Unit）、所定の制御プログラムが記憶された不揮発性のＲＯＭ（Read Only Memory）、データを一時的に記憶するＲＡＭ（Random Access Memory）、ＲＦＩＤチップ２２との間でシリアル通信を行う図略の通信ＩＦ（interface）回路、例えばＥＥＰＲＯＭ（Electrically Erasable and Programmable Read Only  Memory）やＦｅＲＡＭ等の書換可能な不揮発性記憶素子あるいは揮発性のＲＡＭから構成された第１可変記憶部２１２、及びその周辺回路等を備えている。制御部２１は、例えばＲＯＭに記憶された制御プログラムを実行することによって、機器制御部２１１を構成する。
【００２２】
機器制御部２１１は、電気機器２に関するデータを取得し、第１可変記憶部２１２に記憶させる。例えば、電気機器２が冷蔵庫であった場合、機器制御部２１１は、例えば図略の温度計やドア開閉スイッチから、冷蔵庫の庫内温度の計測値や、ドアの開閉回数等を示すデータを取得し、そのデータを第１可変記憶部２１２に記憶させる。
【００２３】
また、機器制御部２１１は、第１可変記憶部２１２にデータを記憶させた記憶領域を示す情報、例えば、その記憶領域の先頭アドレス（例えばＡｄｄｒ１０）とそのデータ量（例えば３ブロック）とを設定アドレス情報として、固定記憶部２２６の予め定められたアドレス（図５ＡのＡｄｄｒ４）へ記憶させる。このとき、機器制御部２１１は、設定アドレス情報のチェックサムを算出し、そのチェックサムも固定記憶部２２６に記憶させる。
【００２４】
チェックサムは、誤り検出符号の一例である。誤り検出符号はチェックサムに限られず、誤り検出符号として、種々の誤り検出符号やデータを用いることができる。例えば、チェックサムの代わりに、CRC（Cyclic Redundancy Check）を用いてもよく、誤り訂正可能な符号やデータを用いてもよい。
【００２５】
アクセス制御部２２２は、ＮＦＣ―ＩＦ回路２２１により受信された要求に応じて、固定記憶部２２６、第１可変記憶部２１２、及び第２可変記憶部２２７にアクセスし、その要求で指定されたアドレスからデータを読み出す。アクセス制御部２２２は、その読み出された読出データをＮＦＣ―ＩＦ回路２２１によって携帯端末装置４へ送信させる。なお、本明細書において、通信により送信又は受信される“要求”は、各要求内容を示す信号を意味するものとする。
【００２６】
アクセス制御部２２２は、ＮＦＣ―ＩＦ回路２２１により受信された読出し要求が、第１可変記憶部２１２の読み出し要求であった場合、その読出し要求により指定されたアドレスを指定して機器制御部２１１に第１可変記憶部２１２の読み出しを要求し、機器制御部２１１により読み出されたデータを取得することによって間接的に第１可変記憶部２１２にアクセスし、第１可変記憶部２１２から目的データを読出す。アクセス制御部２２２は、その目的データを機器暗号化部２２４によって暗号化させて、ＮＦＣ―ＩＦ回路２２１によって携帯端末装置４へ送信させる。
【００２７】
機器復号化部２２３は、ＮＦＣ―ＩＦ回路２２１によって受信された制御命令を復号化する。
【００２８】
機器暗号化部２２４は、目的データを暗号化する。機器暗号化部２２４は、暗号化方式として、例えばＤＥＳ（Data Encryption Standard）やＡＥＳ（Advanced  Encryption  Standard）等、種々の暗号化方式を用いることができる。
【００２９】
図３に示す携帯端末装置４は、制御部４１、ＮＦＣ―ＩＦ回路４２（携帯通信部の一例）、ループアンテナ４３、ネットワーク通信部４４、表示部４５、及び操作部４６を備えている。
【００３０】
図２、図３を参照して、ループアンテナ２３は、ＮＦＣ―ＩＦ回路２２１に接続され、ループアンテナ４３は、ＮＦＣ―ＩＦ回路４２に接続されている。ループアンテナ２３，４３は、近接無線通信を行うためのアンテナである。近接無線通信としては、例えば１３．５６ＭＨｚ帯の高周波数帯域、９０ＭＨｚ〜１ＧＨｚのＵＨＦ帯、あるいは２ＧＨｚ帯を越える周波数帯等、種々の周波数帯域を用いることができる。
【００３１】
ＮＦＣ―ＩＦ回路２２１，４２は、ループアンテナ２３，４３を介して互いに近接無線通信を行う通信回路である。ＮＦＣ―ＩＦ回路２２１，４２は、例えばＩＳＯ／ＩＥＣ２１４８１（ＮＦＣ  ＩＰ−２）として規格化された通信仕様に従って、近接無線通信を実行することができる。
【００３２】
近接無線通信は、通信可能な基準距離が例えば１０ｃｍ程度と短いため、近接無線通信を実行するためにはループアンテナ２３，４３を接近させる必要がある。そこで、例えば、電気機器２及び携帯端末装置４のハウジングには、ループアンテナの位置を表すマークが付されており、ユーザは電気機器２及び携帯端末装置４のマーク同士を接近あるいはタッチさせて、装置間で近接無線通信を実行させる。以下、タッチする行為には、電気機器２及び携帯端末装置４を近接無線通信可能な距離に近接させる行為も含むものとする。
【００３３】
電気機器２及び携帯端末装置４は、常時近接配置されているわけではないので、ＮＦＣ―ＩＦ回路２２１，４２が近接無線通信を実行するためには、タッチが行われたことを検出する必要がある。また、ユーザは、不特定の携帯端末装置４を用いて不特定の電気機器２にタッチするので、電気機器２及び携帯端末装置４間で通信を実行するためには、タッチされた際に、互いに通信相手の存在を認識する必要がある。
【００３４】
そこで、例えばＮＦＣ―ＩＦ回路２２１は、定期的にポーリングコマンドを送信している。そして、ポーリングコマンドが実行された際に、携帯端末装置４（ループアンテナ４３）が電気機器２（ループアンテナ２３）から、近接無線通信可能な距離の範囲内に存在した場合、ＮＦＣ―ＩＦ回路４２は、ポーリングコマンドを受信することによって電気機器２の存在を認識し、そのポーリングに応答してレスポンスコマンドを電気機器２へ送信する。ＮＦＣ―ＩＦ回路２２１は、レスポンスコマンドを受信することによって、携帯端末装置４の存在を認識する。このように、ＮＦＣ―ＩＦ回路２２１，４２が互いの存在を認識することによって、ＮＦＣ―ＩＦ回路２２１，４２間で近接無線通信を実行することが可能となる。
【００３５】
このように、電気機器２（ＮＦＣ―ＩＦ回路２２１）及び携帯端末装置４（ＮＦＣ―ＩＦ回路４２）が互いの存在を認識し、通信可能な状態にすることを通信確立と称する。通信確立の方法は、必ずしも上述のようなポーリングとレスポンスによる方法に限らない。通信確立の方法によらず、電気機器２と携帯端末装置４とが通信可能な状態になることを、通信確立と称する。
【００３６】
ＮＦＣ―ＩＦ回路２２１は、通信確立が成功すると、通信確立が成功した旨を制御部２１へ通知する。ＮＦＣ―ＩＦ回路４２は、通信確立が成功すると、通信確立が成功した旨を制御部４１へ通知する。
【００３７】
なお、ＮＦＣ―ＩＦ回路４２からポーリングコマンドを送信するようにしてもよく、ＮＦＣ―ＩＦ回路２２１，４２が双方からレスポンスコマンドを送信してもよい。また、機器通信部であるＮＦＣ―ＩＦ回路２２１と、携帯通信部であるＮＦＣ―ＩＦ回路４２とが、近接無線通信を行う例を示したが、機器通信部及び携帯通信部間の通信は、必ずしも近接無線通信に限らず、他の通信方式であってもよい。
【００３８】
しかしながら、ＮＦＣ―ＩＦ回路２２１，４２が近接無線通信を実行する場合、上述のように、ユーザが携帯端末装置４を電気機器２にタッチするという、体感的、直感的な操作によって、電気機器２と携帯端末装置４との間で通信確立させることができるので、ユーザの利便性が向上する。また、ＮＦＣ―ＩＦ回路２２１，４２は、通信確立が成功することによって、ユーザが携帯端末装置４で電気機器２にタッチしたことを認識できるので、ユーザがタッチする操作をトリガとして、タッチ操作に応じた処理を実行することが容易である。
【００３９】
また、ＮＦＣ―ＩＦ回路２２１，４２が近接無線通信を実行する場合、ユーザは、不特定多数の電気機器、例えば電気機器２，２ａ，２ｂに、自由に携帯端末装置４をタッチすることができる。電気機器２，２ａ，２ｂは、種類が異なっていたり、型式が異なっていたりするため、互いに読み出すべきデータが記憶されているアドレスが異なっている可能性が高い。そのため、ＮＦＣ―ＩＦ回路２２１，４２が近接無線通信を実行する場合には、ユーザが電気機器にタッチする都度、通信対象の電気機器について読み出すべきデータが記憶されているアドレスを特定する必要がある。
【００４０】
ネットワーク通信部４４は、例えば無線移動体通信を行う通信回路である。ネットワーク通信部４４は、ネットワーク６を介してサーバ装置５とデータ送受信を行う。ネットワーク通信部４４が無線移動体通信によってネットワーク６にアクセスすると、移動体通信事業者によってインターネット回線に接続される。これによって、ネットワーク通信部４４は、インターネット回線に接続されたサーバ装置５との間で通信可能にされている。
【００４１】
表示部４５は、例えば液晶表示器や有機ＥＬ表示器等の表示装置である。操作部４６は、キースイッチやタッチパネルなどの操作入力装置である。表示部４５及び操作部４６は制御部４１に接続されている。なお、表示部４５及び操作部４６は、表示パネルとタッチパネルとが一体に構成された操作パネルであってもよい。
【００４２】
時計部４７は、時計部２４と同様に構成されている。
【００４３】
制御部４１は、例えば所定の演算処理を実行するＣＰＵ、所定の制御プログラムが記憶された不揮発性のＲＯＭ、データを一時的に記憶するＲＡＭ、例えばＥＥＰＲＯＭ、ＦｅＲＡＭ等の書換可能な不揮発性記憶素子や揮発性のＲＡＭから構成された特定アドレス記憶部４１５及びフォーマット情報記憶部４１６、及びその周辺回路等を備えている。制御部４１は、例えばＲＯＭに記憶された制御プログラムを実行することによって、携帯制御部４１１、固定データ取得部４１２、目的データ取得部４１３、及び通信制御部４１４を構成する。制御プログラムは、ネットワークを介してダウンロードされてもよい。
【００４４】
特定アドレス記憶部４１５には、予め、固定記憶部２２６が配置されている特定アドレス（例えばＡｄｄｒ１〜Ａｄｄｒ８）が記憶されている。
【００４５】
フォーマット情報記憶部４１６には、予め、電気機器２，２ａ，２ｂに対応する各フォーマット情報が、フォーマット番号と対応付けて記憶されている。フォーマット情報は、固定記憶部２２６に記憶される情報の内容（意味）と、その情報が配置される位置（アドレス）とを示す情報である。
【００４６】
図４Ａ、図４Ｂは、図３に示すフォーマット情報記憶部４１６に記憶されるフォーマット情報の一例を示す説明図である。図４Ａに示すフォーマット情報は、例えば電気機器２に対応するフォーマット情報であり、例えばフォーマット番号が１である。図４Ａに示すフォーマット情報は、アドレスＡｄｄｒ１にフォーマット番号として「１」が記憶され、フォーマット番号が１のフォーマット情報であることを示している。そして、アドレスＡｄｄｒ２のデータは鍵番号であること、アドレスＡｄｄｒ３のデータは電気機器の品番であること、アドレスＡｄｄｒ４のデータは電気機器から読み出すべき目的データＡの開始アドレスとデータ量とを示すこと、アドレスＡｄｄｒ５のデータは電気機器から読み出すべき目的データＢの開始アドレスとデータ量とを示すこと、アドレスＡｄｄｒ６のデータはアクセス制御部２２２による第１可変記憶部２１２へのアクセスを禁止するか否かを示す第１可変記憶部アクセス禁止フラグを示すこと、アドレスＡｄｄｒ７のデータは携帯端末装置４による電気機器２の時計合わせを要求する時刻設定フラグを示すこと、アドレスＡｄｄｒ８は、電気機器２に実行させるべき制御命令を書き込むための制御命令書込アドレスであることを示している。
【００４７】
図４Ｂに示すフォーマット情報は、例えば電気機器２ａに対応するフォーマット情報であり、例えばフォーマット番号が２である。図４Ｂに示すフォーマット情報は、アドレスＡｄｄｒ１にフォーマット番号として「２」が記憶され、フォーマット番号が２のフォーマット情報であることを示している。アドレスＡｄｄｒ２〜Ａｄｄｒ５、及びＡｄｄｒ８については、図４Ａと同様である。フォーマット番号２のフォーマット情報の例では、アドレスＡｄｄｒ６のデータは電気機器から読み出すべき目的データＣの開始アドレスとデータ量とを示し、アドレスＡｄｄｒ７のデータは電気機器から読み出すべき目的データＤの開始アドレスとデータ量とを示す点が、フォーマット番号１のフォーマット情報と異なっている。
【００４８】
このように、フォーマット情報記憶部４１６には、複数の電気機器に対応する複数のフォーマット情報が記憶されている。以下、フォーマット番号が１のフォーマット情報を単にフォーマット１と称し、フォーマット番号が２のフォーマット情報を単にフォーマット２と称する。
【００４９】
携帯制御部４１１は、例えばＲＡＭに記憶されたアプリケーションプログラムを実行する。
【００５０】
固定データ取得部４１２は、特定アドレス記憶部４１５に記憶されている特定アドレスを読出す。そして、固定データ取得部４１２は、ＮＦＣ―ＩＦ回路４２によってＮＦＣ―ＩＦ回路２２１へ、特定アドレスを指定して、固定記憶部２２６の読出し要求を送信させることにより、ＮＦＣ―ＩＦ回路２２１から固定データを読出データとして送信させ、固定データを取得する。
【００５１】
目的データ取得部４１３は、固定データ取得部４１２によって取得された固定データに含まれる設定アドレス情報を取得する。そして、目的データ取得部４１３は、その取得された設定アドレス情報で示される例えばＡｄｄｒ１０から３ブロック分のアドレス領域（設定記憶領域）を指定して、第１可変記憶部２１２又は第２可変記憶部２２７の読出し要求を、ＮＦＣ―ＩＦ回路４２によってＮＦＣ―ＩＦ回路２２１へ送信させることにより、ＮＦＣ―ＩＦ回路２２１から目的データを送信させ、その目的データを取得する。
【００５２】
以下、記載を簡略化するため、携帯端末装置４（又はその構成要素）が、ＮＦＣ―ＩＦ回路４２によってＮＦＣ―ＩＦ回路２２１へデータを送信させることを、単に携帯端末装置４（又はその構成要素）が電気機器２（又はその構成要素）へ送信する、と記載し、アクセス制御部２２２が、ＮＦＣ―ＩＦ回路２２１によってＮＦＣ―ＩＦ回路４２へデータを送信させることを、単に電気機器２（又はその構成要素）が携帯端末装置４（又はその構成要素）へデータを送信する、と記載する。
【００５３】
通信制御部４１４は、目的データ取得部４１３により取得された目的データを、ネットワーク通信部４４によってネットワーク６を介してサーバ通信部５３へ送信させる。以下、記載を簡略化するため、携帯端末装置４（又はその構成要素）がネットワーク通信部４４によってネットワーク６を介してサーバ通信部５３へデータを送信させることを、単に携帯端末装置４（又はその構成要素）がサーバ装置５（又はその構成要素）へデータを送信すると記載し、サーバ装置５（又はその構成要素）がサーバ通信部５３によってネットワーク６を介してネットワーク通信部４４へデータを送信させることを、単にサーバ装置５（又はその構成要素）が携帯端末装置４（又はその構成要素）へデータを送信すると記載する。
【００５４】
図３に示すサーバ装置５は、制御部５１、記憶装置５２、及びサーバ通信部５３を備えている。制御部５１は、例えば所定の演算処理を実行するＣＰＵ、データを一時的に記憶するＲＡＭ、及びその周辺回路等を備えている。制御部５１は、例えば記憶装置５２に記憶された制御プログラムを実行することによって、サーバ制御部５１１、サーバ復号化部５１２、及びサーバ暗号化部５１３を構成する。
【００５５】
記憶装置５２は、例えばＨＤＤ（Hard Disk Drive）装置や、ＥＥＰＲＯＭ、ＦｅＲＡＭ等、種々の記憶装置、記憶素子を用いて構成される。記憶装置５２は、目的データ記憶部５２１、及び暗号鍵記憶部５２２を構成する。
【００５６】
目的データ記憶部５２１は、サーバ通信部５３によって携帯端末装置４から受信された目的データを記憶する。暗号鍵記憶部５２２は、暗号の復号化に用いる暗号鍵を、予め複数、各暗号鍵を識別する鍵番号（鍵識別情報の一例）と対応付けて記憶する。
【００５７】
サーバ通信部５３は、例えばイーサネット（登録商標）の通信インターフェイス回路である。サーバ通信部５３は、ネットワーク６を介してネットワーク通信部４４とデータ送受信可能に接続されている。また、サーバ通信部５３は、制御部５１と接続されている。
【００５８】
サーバ復号化部５１２は、サーバ通信部５３によって受信された鍵番号と対応付けて暗号鍵記憶部５２２に記憶されている暗号鍵を、取得する。そして、サーバ復号化部５１２は、サーバ通信部５３によって暗号化された目的データが受信された場合、取得した暗号鍵を用いて暗号化された目的データを復号化し、復号化された目的データを目的データ記憶部５２１に記憶させる。
【００５９】
サーバ暗号化部５１３は、制御命令を暗号化する。
【００６０】
次に、上述のように構成された通信システム１の動作の一例について説明する。まず、機器制御部２１１によって、固定記憶部２２６に、設定アドレス情報が記憶される。図５Ａは、図２に示す固定記憶部２２６に記憶される固定データの一例を示す説明図である。
【００６１】
図５Ａに示す固定データは、固定記憶部２２６の、特定アドレスであるＡｄｄｒ１〜Ａｄｄｒ８の記憶領域に記憶されている。図５Ａに示す固定データは、図４Ａに示すフォーマット１に対応している。
【００６２】
即ち、フォーマット１に対応して、アドレスＡｄｄｒ１にフォーマット番号である“１”が記憶され、アドレスＡｄｄｒ２に鍵番号として“２”が記憶され、アドレスＡｄｄｒ３に電気機器の品番が記憶され、アドレスＡｄｄｒ４に例えば第１可変記憶部２１２に記憶された目的データＡの開始アドレスであるＡｄｄｒ１０とそのデータ量である３ブロックとが設定アドレス情報として記憶され、アドレスＡｄｄｒ５に例えば第２可変記憶部２１２に記憶された目的データＢの開始アドレスであるＡｄｄｒ１１とそのデータ量である２ブロックとが設定アドレス情報として記憶されている。
【００６３】
データ量は、１アドレスに記憶されるデータの量を１ブロックとし、そのブロック数でデータの量を表している。なお、１ブロックのデータ量は、１バイトでもよく、１ワードでもよく、例えば１６バイトであってもよく、任意に設定できる。
【００６４】
アドレスＡｄｄｒ６には、第１可変記憶部アクセス禁止フラグがオフ（０）として記憶されており、アクセス制御部２２２による第１可変記憶部２１２へのアクセスが許可されている。すなわち、第１可変記憶部アクセス禁止フラグがオフされていることによって、携帯端末装置４が、アクセス制御部２２２へ第１可変記憶部２１２への読出し要求を行うことにより、アクセス制御部２２２が機器制御部２１１を介して間接的に第１可変記憶部２１２からデータを読出し、携帯端末装置４へ可変データを送信するトンネルモードの実行が許可されている。
【００６５】
アドレスＡｄｄｒ７の時刻設定フラグはオン（１）されており、携帯端末装置４による時計部４７の時刻合わせ（時刻設定）が要求されている。また、アドレスＡｄｄｒ８には、制御命令書込アドレスがＡｄｄｒ１５であることが記憶されている。
【００６６】
また、固定記憶部２２６には、特定アドレスであるＡｄｄｒ１〜Ａｄｄｒ８にそれぞれ対応するチェックサムが記憶されている。
【００６７】
アドレスＡｄｄｒ４，５における設定アドレス情報が機器制御部２１１によって記憶される以外は、その他のデータは例えば電気機器２の工場出荷時に、予め固定記憶部２２６に記憶されている。なお、アドレスＡｄｄｒ４，５における設定アドレス情報も工場出荷時に予め固定記憶部２２６に記憶しておく構成としてもよく、アドレスＡｄｄｒ４，５以外のデータも機器制御部２１１によって記憶される構成としてもよい。
【００６８】
図５Ｂは、フォーマット２に対応する固定データの一例を示す説明図である。
【００６９】
図６〜図９は、図１に示す通信システム１の動作の一例を示す説明図である。まず、携帯端末装置４の携帯制御部４１１は、電気機器２からデータを読み出したり電気機器２を制御したりするためのアプリケーションを起動する（ステップＳ１）。このとき、操作部４６は、ユーザによる当該アプリケーションの起動指示を受け付ける。携帯制御部４１１は、受け付けられた起動指示に基づいてアプリケーションを起動する。
【００７０】
次に、携帯制御部４１１は、携帯端末装置４を電気機器２に近接させるタッチ操作を行うように、ユーザに指示するためのタッチ指示画面を表示部４５に表示させる（ステップＳ２）。そして、ユーザがタッチ操作を行うと、ＮＦＣ―ＩＦ回路２２１，４２によって近距離無線通信確立処理が実行され（ステップＳ３）、電気機器２と携帯端末装置４とが通信可能な状態にされる。
【００７１】
次に、固定データ取得部４１２は、特定アドレス記憶部４１５に記憶されている特定アドレス（例えばＡｄｄｒ１〜Ａｄｄｒ８）を読出す。そして、固定データ取得部４１２は、特定アドレス（例えばＡｄｄｒ１〜Ａｄｄｒ８）を指定して、固定記憶部２２６の読出し要求をＲＦＩＤチップ２２へ送信する（ステップＳ４）。
【００７２】
そうすると、アクセス制御部２２２は、固定記憶部２２６から、例えば図５Ａに示すアドレスＡｄｄｒ１〜Ａｄｄｒ８に記憶された固定データを読み出して、その固定データを携帯端末装置４へ送信する（ステップＳ５）。これにより、例えば図５Ａに示す固定データがＮＦＣ―ＩＦ回路４２によって受信され、受信された固定データが固定データ取得部４１２によって取得される。アクセス制御部２２２は、固定記憶部２２６に記憶されている固定データについては暗号化を行わない。
【００７３】
固定データ取得部４１２は、固定データを取得すると、固定データに含まれる各ブロックのチェックサムを算出し、固定データに含まれるチェックサムと照合する。そして、固定データ取得部４１２は、算出されたチェックサムと固定データに含まれるチェックサムとが一致すれば、固定データは正常であると判断する。一方、固定データ取得部４１２は、算出されたチェックサムと固定データに含まれるチェックサムとが一致しなければ、固定データは正常ではないと判断し、例えばステップＳ４、Ｓ５を繰り返す。
【００７４】
このように、固定データにチェックサムを含み、固定データ取得部４１２がチェックサムの照合を行うことにより、固定データの信頼性が向上する。
【００７５】
次に、目的データ取得部４１３は、固定データ取得部４１２によって取得された固定データ（図５Ａ）を参照し、アドレスＡｄｄｒ１のフォーマット番号を確認する。図５Ａに示す例では、フォーマット番号は１なので、フォーマット情報記憶部４１６に記憶されているフォーマット１（図４Ａ）を参照する。そうすると、設定アドレス情報はアドレスＡｄｄｒ４，５となっている。そこで、目的データ取得部４１３は、まず固定データ取得部４１２によって取得された固定データ（図５Ａ）のアドレスＡｄｄｒ４から、設定アドレス情報として目的データＡの開始アドレス：Ａｄｄｒ１０、及びデータ量３ブロックを取得する。ここで、アドレスＡｄｄｒ１０は、例えば第２可変記憶部２２７のアドレスに対応している。
【００７６】
このように、目的データ取得部４１３は、フォーマット情報に基づいて、固定データから設定アドレス情報を取得する。従って、例えば電気機器の仕様に応じて設定アドレス情報の数を、図５Ｂに示すように増やしたい場合等、固定データに配置される設定アドレス情報の配置位置や数を変更したい場合、固定記憶部２２６に記憶させる固定データに含まれるフォーマット番号を変更するだけで、設定アドレス情報の配置位置や数を変更することができる。その結果、電気機器の仕様に応じて、固定データの内容を柔軟に対応させることが可能となる。
【００７７】
また、固定データに、例えば図５Ａに示す第１可変記憶部アクセス禁止フラグ及び時刻設定フラグのような制御フラグや、制御命令書込アドレス等の情報が含まれる場合であっても、フォーマット情報に基づいて固定データからこれらの情報を取得するようにすることによって、電気機器の仕様に応じて種々の情報を柔軟に固定データに含ませることができる。
【００７８】
そして、目的データ取得部４１３は、取得した設定アドレス情報により、アドレスＡｄｄｒ１０及びデータ量３ブロックを指定して、ＲＦＩＤチップ２２に可変記憶部の読出しを要求する（ステップＳ６）。
【００７９】
そうすると、ＮＦＣ―ＩＦ回路２２１によってアドレスＡｄｄｒ１０及びデータ量３ブロックを指定する読出し要求が受信される。そうすると、アクセス制御部２２２は、アドレスＡｄｄｒ１０が第２可変記憶部２２７のアドレスであることを確認し、第２可変記憶部２２７のアドレスＡｄｄｒ１０から３ブロック分の目的データＡを読み出す。
【００８０】
第２可変記憶部２２７には、例えば電気機器２の製造番号や、エラー履歴情報等が目的データＡとして記憶されている。
【００８１】
アクセス制御部２２２は、第１可変記憶部２１２及び第２可変記憶部２２７に記憶されている目的データは、機器復号化部２２３によって暗号化させ、暗号化された目的データＡを携帯端末装置４へ送信する（ステップＳ７）。この目的データＡが、携帯端末装置４におけるＮＦＣ―ＩＦ回路４２によって受信され、目的データ取得部４１３によって暗号化された目的データＡが取得される。
【００８２】
以上、ステップＳ４〜Ｓ７の処理により、電気機器２，２ａ，２ｂにおいて、互いに異なるアドレスに目的データが記憶されている場合であっても、固定データ取得部４１２は、電気機器２，２ａ，２ｂのいずれに対しても同じ特定アドレスを指定する読出し要求によって、目的データが記憶されているアドレスを示す設定アドレス情報を取得することができる。そして、目的データ取得部４１３は、その設定アドレス情報に基づき電気機器２，２ａ，２ｂに目的データを要求することで、目的データを取得することができる。
【００８３】
従って、互いに異なるアドレスに目的データが記憶されている電気機器が複数存在する場合であっても、各電気機器に記憶されているデータを、アドレスを指定して電気機器の外部に読み出すことが容易となる。
【００８４】
図７を参照して、目的データ取得部４１３は、次に、まず固定データ取得部４１２によって取得された固定データ（図５Ａ）のアドレスＡｄｄｒ５から、設定アドレス情報として目的データＢの開始アドレス：Ａｄｄｒ１１、及びデータ量２ブロックを取得する。ここで、アドレスＡｄｄｒ１１は、例えば第１可変記憶部２１２のアドレスに対応している。
【００８５】
そして、目的データ取得部４１３は、取得した設定アドレス情報により、アドレスＡｄｄｒ１１及びデータ量２ブロックを指定して、ＲＦＩＤチップ２２に可変記憶部の読出しを要求する（ステップＳ１１）。
【００８６】
そうすると、ＮＦＣ―ＩＦ回路２２１によってアドレスＡｄｄｒ１１及びデータ量２ブロックを指定する読出し要求が受信される。アクセス制御部２２２は、アドレスＡｄｄｒ１１が第１可変記憶部２１２のアドレスであることを確認し、機器制御部２１１へ、第１可変記憶部２１２のアドレスＡｄｄｒ１１から２ブロック分の目的データの読出しを要求する（ステップＳ１２）。
【００８７】
そうすると、機器制御部２１１によって、第１可変記憶部２１２のアドレスＡｄｄｒ１１から２ブロック分の目的データＢが読み出され、その目的データＢがアクセス制御部２２２へ送信される（ステップＳ１３）。第１可変記憶部２１２には、例えば冷蔵庫のドアの開閉回数が、１ヶ月分、目的データＢとして記憶されている。
【００８８】
アクセス制御部２２２は、第１可変記憶部２１２に記憶されている目的データを、機器復号化部２２３によって暗号化させ、暗号化された目的データＢを携帯端末装置４へ送信する（ステップＳ１４）。この目的データＢが、携帯端末装置４におけるＮＦＣ―ＩＦ回路４２によって受信され、目的データ取得部４１３によって暗号化された目的データＢが取得される。
【００８９】
以上、ステップＳ１１〜Ｓ１４の処理により、目的データが、ＲＦＩＤチップ２２に内蔵されておらず、アクセス制御部２２２が直接アクセスできない第１可変記憶部２１２に記憶されている場合であっても、その目的データを、各電気機器アドレスを指定して電気機器の外部に読み出すことが容易となる。
【００９０】
また、機器制御部２１１は、固定記憶部２２６に設定アドレス情報を記憶させることによって、第１可変記憶部２１２及び第２可変記憶部２２７に記憶されているデータ量や、アドレス配置に応じて、設定アドレス情報を変更することができる。その結果、目的データのデータ量やアドレス配置を柔軟に変更することが可能となる。
【００９１】
次に、携帯制御部４１１は、フォーマット情報記憶部４１６に記憶されているフォーマット１（図４Ａ）を参照し、アドレスＡｄｄｒ７が時計設定フラグであることを確認すると、固定データ取得部４１２により取得された固定データ（図５Ａ）のアドレスＡｄｄｒ７を参照する。そして、時計設定フラグがオン（１）していた場合、携帯制御部４１１は、時計部４７によって計時されている現在の日時及び時刻情報を、ＲＦＩＤチップ２２へ送信し、時刻設定を要求する（ステップＳ１５）。そうすると、時刻情報及び時刻設定要求がアクセス制御部２２２によって受け付けられる。
【００９２】
次に、アクセス制御部２２２は、受け付けられた時刻情報に基づき、機器制御部２１１によって、時計部２４の時間合わせを行わせる（ステップＳ１６）。そして、時刻設定が完了すると、機器制御部２１１は、アクセス制御部２２２へ、時刻設定が完了したことを通知する（ステップＳ１７）。
【００９３】
アクセス制御部２２２は、時刻設定が完了したことを、携帯端末装置４へ通知する（ステップＳ１８）。
【００９４】
次に、携帯端末装置４の通信制御部４１４は、フォーマット情報記憶部４１６に記憶されているフォーマット１（図４Ａ）を参照し、アドレスＡｄｄｒ２が鍵番号であることを確認すると、固定データ取得部４１２により取得された固定データ（図５Ａ）のアドレスＡｄｄｒ２から、鍵番号を取得する。そして、通信制御部４１４は、その鍵番号を、サーバ装置５へ送信する（ステップＳ１９）。
【００９５】
また、通信制御部４１４は、目的データ取得部４１３によって取得された、暗号化された目的データＡ，Ｂをサーバ装置５へ送信する（ステップＳ２０）。
【００９６】
図８を参照して、サーバ装置５において、サーバ通信部５３により受信された鍵番号、及び暗号化された目的データＡ，Ｂは、サーバ制御部５１１によって取得される。サーバ制御部５１１は、鍵番号、及び目的データＡ，Ｂをサーバ復号化部５１２へ出力する。サーバ復号化部５１２は、暗号鍵記憶部５２２を参照し、サーバ通信部５３により受信された鍵番号と対応付けて暗号鍵記憶部５２２に記憶されている暗号鍵を用いて、目的データＡ，Ｂを復号化する（ステップＳ３１）。
【００９７】
このように、電気機器２が機器暗号化部２２４を備え、サーバ装置５がサーバ復号化部５１２を備えることによって、目的データＡ，Ｂは、暗号化された状態で携帯端末装置４に受信され、暗号化された状態のまま、サーバ装置５へ送信される。携帯端末装置４として、例えば携帯電話事業者が提供する携帯電話機を用いた場合、携帯端末装置４に取り込まれたデータのセキュリティを確保することが困難である。また、目的データＡ，Ｂは、電気機器２に関するデータであり、ユーザの個人情報に関わる情報を含んでいる可能性がある。そこで、通信システム１は、機器暗号化部２２４及びサーバ復号化部５１２を備え、目的データＡ，Ｂは、暗号化された状態で携帯端末装置４に受信され、暗号化された状態のままサーバ装置５へ送信される構成とすることによって、データのセキュリティを確保することができる。
【００９８】
次に、サーバ制御部５１１は、復号化された目的データＡ，Ｂを目的データ記憶部５２１に記憶させる（ステップＳ３２）。これにより、電気機器２に記憶されていた目的データをサーバ装置５に読み出して、サーバ装置５において、目的データを活用した種々のサービスをユーザに提供することが可能となる。
【００９９】
次に、サーバ制御部５１１は、復号化された目的データＡ，Ｂを解析し、目的データＡ，Ｂに応じた画面情報を生成する（ステップＳ３３）。サーバ制御部５１１は、例えば、目的データＡに含まれる電気機器２の製造番号が、リコール（回収修理）の対象か否かを判断し、リコールの対象となる製造番号であった場合、ユーザに対して電気機器２がリコールの対象であることを通知したり、メーカの連絡先を知らせたりするための画面情報（例えば、画面に表示する画像データ）を生成する。
【０１００】
あるいは、サーバ制御部５１１は、例えば、目的データＢに含まれる、１ヶ月分の冷蔵庫のドアの開閉回数の平均値が、予め設定された基準回数より多かった場合、ユーザに対して、冷蔵庫のドアの開閉回数を減らすことで、電気代が節約できることを知らせるお知らせ画面の画面情報を生成する。
【０１０１】
次に、サーバ制御部５１１は、生成された画面情報を携帯端末装置４へ送信する（ステップＳ３４）。そうすると、携帯端末装置４のネットワーク通信部４４によって画面情報が受信される。携帯制御部４１１は、表示部４５によって、受信された画面情報に基づく画像を表示させる（ステップＳ３５）。
【０１０２】
これにより、電気機器２に記憶されていた目的データに応じた表示画面を、携帯端末装置４の表示部４５に表示させることができる。
【０１０３】
また、通信システム１において、携帯端末装置４を、電気機器２を操作するための操作入力装置として機能させることもできる。図９は、携帯端末装置４を、電気機器２を操作するための操作入力装置として用いる場合の通信システム１の動作の一例を示す説明図である。
【０１０４】
まず、ユーザが携帯端末装置４の操作部４６を操作して、電気機器２の操作指示を入力すると、操作部４６によって受け付けられた操作指示が、通信制御部４１４によって取得される（ステップＳ４１）。次に、通信制御部４１４は、操作指示の内容を示す操作指示情報を、サーバ装置５へ送信する（ステップＳ４２）。
【０１０５】
図１０は、電気機器２が電子レンジであった場合に携帯端末装置４の表示部４５に表示される操作画面の一例を示す説明図である。例えば、ユーザが操作部４６を用いて、図１０に示す料理のレシピ画面Ｇ１を表示させる操作指示を入力する。そうすると、携帯制御部４１１は、レシピ画面Ｇ１を表示部４５に表示させる。
【０１０６】
レシピ画面Ｇ１には、電気機器２（電子レンジ）を用いて調理する工程Ｇ１１が含まれており、工程Ｇ１１には、電気機器２に設定すべき設定内容が例えば”８００Ｗで５分“や”強モード２０分“というように記載されている。この工程Ｇ１１の表示の下部には、工程Ｇ１１の設定が、“タッチ”によって自動的に設定できることを示す“タッチで設定”画像Ｇ１２が表示されている。
【０１０７】
通信制御部４１４は、レシピ画面Ｇ１を表示させる操作指示を受け付けたことを示す操作指示情報を、サーバ装置５へ送信する（ステップＳ４２）。
【０１０８】
図１１は、電気機器２が冷蔵庫であった場合に携帯端末装置４の表示部４５に表示される操作画面の一例を示す説明図である。例えば、ユーザが操作部４６を用いて、図１１に示す冷蔵庫の温度設定画面Ｇ２を表示させる操作指示を入力する。そうすると、携帯制御部４１１は、温度設定画面Ｇ２を表示部４５に表示させる。
【０１０９】
そこで、ユーザは、温度設定画面Ｇ２を操作して、冷蔵室、冷凍室、及びパーシャル室の温度設定を入力し、温度設定ボタンを押下する。そうすると、操作部４６によって、冷蔵室、冷凍室、及びパーシャル室の温度設定が受け付けられる。通信制御部４１４は、操作部４６によって受け付けられた冷蔵室、冷凍室、及びパーシャル室の温度設定を、操作指示情報としてサーバ装置５へ送信する（ステップＳ４２）。
【０１１０】
次に、サーバ装置５のサーバ通信部５３によって、操作指示情報が受け付けられると、サーバ制御部５１１は、操作指示情報に応じた制御命令を生成し、その制御命令をサーバ暗号化部５１３によって暗号化させる（ステップＳ４３）。そして、サーバ制御部５１１は、サーバ暗号化部５１３によって暗号化された制御命令を携帯端末装置４へ送信する（ステップＳ４４）。
【０１１１】
例えば、電気機器２が電子レンジであった場合、制御命令は、例えば”自動メニューグループ：合わせ技セット／肉＆野菜”を設定する制御命令である。例えば、電気機器２が冷蔵庫であった場合、制御命令は、例えば冷蔵室、冷凍室、及びパーシャル室の温度設定を行う制御命令である。
【０１１２】
携帯端末装置４のネットワーク通信部４４によって、暗号化された制御命令が受信されたとき、携帯制御部４１１は、表示部４５によって、ユーザにタッチを促すタッチ指示画像（例えば、図１０の画像Ｇ１３又は図１１の画像Ｇ２１）を表示させる（ステップＳ４５）。
【０１１３】
次に、携帯端末装置４によって、上述のステップＳ３〜Ｓ５と同様の処理が実行されて、固定データ取得部４１２により固定データが取得される。
【０１１４】
次に、通信制御部４１４は、フォーマット情報記憶部４１６に記憶されているフォーマット情報に基づいて、固定データ取得部４１２により取得された固定データから、制御命令書込アドレス（例えば図５ＡのアドレスＡｄｄｒ８に記憶されているＡｄｄｒ１５）を取得する。そして、通信制御部４１４は、制御命令書込アドレスを指定して、ネットワーク通信部４４によって受信された、暗号化された制御命令の書込要求を、電気機器２へ送信する（ステップＳ４６）。
【０１１５】
次に、電気機器２のＮＦＣ―ＩＦ回路２２１によって、制御命令の書込要求が受信されると、アクセス制御部２２２は、受信された制御命令を機器復号化部２２３によって復号化させる。
【０１１６】
このように、サーバ装置５がサーバ暗号化部５１３を備え、電気機器２が機器復号化部２２３を備えることによって、制御命令は、暗号化された状態で携帯端末装置４に受信され、暗号化された状態のまま電気機器２へ送信される構成とすることによって、制御命令のセキュリティを確保することができる。
【０１１７】
そして、アクセス制御部２２２は、例えば指定された制御命令書込アドレスが第１可変記憶部２１２のアドレスであった場合、復号化された制御命令の、制御命令書込アドレスへの書込を機器制御部２１１に要求する（ステップＳ４７）。そうすると、機器制御部２１１によって、第１可変記憶部２１２の制御命令書込アドレスで指定されるアドレスに、制御命令が記憶される。
【０１１８】
次に、機器制御部２１１は、第１可変記憶部２１２の制御命令書込アドレスに記憶された制御命令を受け付けて、その制御命令に応じて機器の動作設定を行う（ステップＳ４８）。例えば、電気機器２が電子レンジであった場合、機器制御部２１１は、例えば制御命令に応じて”自動メニューグループ：合わせ技セット／肉＆野菜”を設定する。また、例えば、電気機器２が冷蔵庫であった場合、機器制御部２１１は、例えば制御命令に応じて冷蔵室、冷凍室、及びパーシャル室の温度設定を行う。
【０１１９】
次に、機器制御部２１１は、制御命令を受け付けたことを示す応答通知を、アクセス制御部２２２へ送信する（ステップＳ４９）。
【０１２０】
次に、アクセス制御部２２２は、応答通知を機器暗号化部２２４によって暗号化させ、暗号化された応答通知を携帯端末装置４へ送信する（ステップＳ５０）。
【０１２１】
次に、携帯端末装置４において、通信制御部４１４は、ＮＦＣ―ＩＦ回路４２によって受信された、暗号化された応答通知を、サーバ装置５へ送信する（ステップＳ５１）。通信制御部４１４は、ステップＳ５１において、ステップＳ５で取得された固定データに含まれる鍵番号を、応答通知と共にサーバ装置５へ送信する。
【０１２２】
次に、サーバ装置５において、サーバ通信部５３により受信された鍵番号、及び暗号化された応答通知は、サーバ制御部５１１によって取得される。サーバ制御部５１１は、鍵番号、及び応答通知をサーバ復号化部５１２へ出力する。サーバ復号化部５１２は、暗号鍵記憶部５２２を参照し、サーバ通信部５３により受信された鍵番号と対応付けて暗号鍵記憶部５２２に記憶されている暗号鍵を用いて、応答通知を復号化する。
【０１２３】
このように、電気機器２が機器暗号化部２２４を備え、サーバ装置５がサーバ復号化部５１２を備えることによって、応答通知は、暗号化された状態で携帯端末装置４に受信され、暗号化された状態のままサーバ装置５へ送信される構成とすることによって、応答通知のセキュリティを確保することができる。
【０１２４】
次に、サーバ制御部５１１は、復号化された応答通知を解析し、応答通知に応じた画面情報を生成する（ステップＳ５２）。サーバ制御部５１１は、応答通知が、制御命令が受け付けられたことを示す場合、ユーザが入力した設定が受け付けられたことを知らせる表示画面を表す画面情報を生成する。
【０１２５】
次に、サーバ制御部５１１は、生成された画面情報を携帯端末装置４へ送信する（ステップＳ５３）。そうすると、携帯端末装置４のネットワーク通信部４４によって画面情報が受信される。携帯制御部４１１は、表示部４５によって、受信された画面情報に基づく画像、例えば図１０に示す画像Ｇ１４や図１１に示す画像Ｇ２２のような画像を表示させる（ステップＳ５４）。
【０１２６】
これにより、ユーザは、電気機器２の設定が完了したことを知ることができる。
【０１２７】
なお、サーバ装置５は、サーバ暗号化部５１３を備えず、制御命令を暗号化しない構成であってもよい。
【０１２８】
また、固定データには、制御命令書込アドレスが含まれていなくてもよく、通信システム１は、ステップＳ４１〜Ｓ５４の処理を実行しなくてもよい。
【０１２９】
また、固定データには、チェックサムが含まれていなくてもよく、固定データ取得部４１２は、固定データが正しいか否かを確認しなくてもよい。
【０１３０】
また、アクセス制御部２２２は、第１可変記憶部を直接アクセス可能であってもよく、ＲＦＩＤチップ２２と制御部２１とが一体に構成されていてもよい。また、ＲＦＩＤチップ２２は、必ずしもＲＦＩＤ用の集積回路である必要はなく、ＲＦＩＤチップ２２と同様の機能を備えた回路であればよい。また、可変記憶部は、第１可変記憶部２１２と第２可変記憶部２２７とを含む必要はなく、いずれか一つであってもよく、あるいは三つ以上の可変記憶部を含んでいてもよい。
【０１３１】
また、機器制御部２１１は、設定アドレス情報や固定データを固定記憶部２２６に記憶させなくてもよく、設定アドレス情報や固定データは、予め固定記憶部２２６に記憶されていてもよい。
【０１３２】
また、携帯端末装置４は、フォーマット情報記憶部４１６を備えず、固定データにはフォーマット識別情報が含まれず、フォーマットが固定的に用いられる構成であってもよい。
【０１３３】
また、固定データには鍵識別情報が含まれず、通信制御部４１４は鍵識別情報を送信せず、サーバ装置５は暗号鍵記憶部５２２を備えず、サーバ復号化部５１２は、他の手段により取得された暗号鍵を用いて復号化を行ってもよく、あるいは暗号鍵を用いない方式によって復号化を行ってもよい。
【０１３４】
また、電気機器２は機器暗号化部２２４を備えず、サーバ装置５はサーバ復号化部５１２を備えなくてもよい。
【０１３５】
即ち、本発明の一局面に従う通信システムは、電気機器と、前記電気機器と通信を行う携帯端末装置と、前記携帯端末装置とネットワークを介して通信を行うサーバ装置とを備え、前記電気機器は、前記サーバ装置へ送信するべきデータである目的データを記憶する設定記憶領域を含む可変記憶部と、少なくとも前記設定記憶領域のアドレスを示す設定アドレス情報を含む固定データを記憶するものであって、前記固定データを他の電気機器と共通するアドレスである特定アドレスに記憶する固定記憶部と、前記携帯端末装置と通信を行う機器通信部と、前記可変記憶部及び前記固定記憶部からデータを読み出し、その読み出された読出データを前記機器通信部によって前記携帯端末装置へ送信させるアクセス制御部とを備え、前記携帯端末装置は、前記機器通信部と通信を行う携帯通信部と、前記サーバ装置と前記ネットワークを介して通信するネットワーク通信部と、前記特定アドレスを記憶する特定アドレス記憶部と、前記携帯通信部によって前記機器通信部へ、前記特定アドレスを指定する前記固定記憶部の読出し要求を送信させることにより、前記機器通信部から前記固定データを前記読出データとして送信させ、前記固定データを取得する固定データ取得部と、前記固定データ取得部によって取得された前記固定データに含まれる前記設定アドレス情報を取得し、前記取得された設定アドレス情報に基づき読出しアドレスを指定する前記可変記憶部の読出し要求を、前記携帯通信部によって前記機器通信部へ送信させることにより、前記機器通信部から前記目的データを前記読出データとして送信させ、前記送信された読出データから前記目的データを取得する目的データ取得部と、前記目的データ取得部により取得された目的データを、前記ネットワーク通信部によって前記ネットワークを介して前記サーバ装置へ送信させる通信制御部とを備え、前記サーバ装置は、前記ネットワーク通信部と通信を行うサーバ通信部を備える。
【０１３６】
また、本発明の一局面に従う電気機器は、ネットワークを用いて通信を行うネットワーク通信部を備えた携帯端末装置と、前記ネットワーク通信部と前記ネットワークを介して通信を行うサーバ通信部を備えたサーバ装置とを含む通信システムに、通信接続可能な電気機器であって、前記サーバ装置へ送信するべきデータである目的データを記憶する設定記憶領域を含む可変記憶部と、少なくとも前記設定記憶領域のアドレスを示す設定アドレス情報を含む固定データを記憶するものであって、前記固定データを他の電気機器と共通するアドレスである特定アドレスに記憶する固定記憶部と、前記携帯端末装置と通信を行う機器通信部と、前記可変記憶部及び前記固定記憶部からデータを読み出し、その読み出された読出データを前記機器通信部によって前記携帯端末装置へ送信させるアクセス制御部とを備え、前記携帯端末装置は、前記機器通信部と通信を行う携帯通信部と、前記特定アドレスを記憶する特定アドレス記憶部と、前記携帯通信部によって前記機器通信部へ、前記特定アドレスを指定する前記固定記憶部の読出し要求を送信させることにより、前記機器通信部から前記固定データを前記読出データとして送信させ、前記固定データを取得する固定データ取得部と、前記固定データ取得部によって取得された前記固定データに含まれる前記設定アドレス情報を取得し、前記取得された設定アドレス情報に基づき読出しアドレスを指定する前記可変記憶部の読出し要求を、前記携帯通信部によって前記機器通信部へ送信させることにより、前記機器通信部から前記目的データを前記読出データとして送信させ、前記送信された読出データから前記目的データを取得する目的データ取得部と、前記目的データ取得部により取得された目的データを、前記ネットワーク通信部によって前記ネットワークを介して前記サーバ装置へ送信させる通信制御部として動作可能である。
【０１３７】
また、本発明の一局面に従う携帯端末装置は、電気機器とサーバ装置との間に介在して前記電気機器と前記サーバ装置とを通信可能にする携帯端末装置であって、前記サーバ装置は、前記携帯端末装置と前記ネットワークを介して通信を行うサーバ通信部として動作可能であり、前記電気機器は、前記サーバ装置へ送信するべきデータである目的データを記憶する設定記憶領域を含む可変記憶部と、少なくとも前記設定記憶領域のアドレスを示す設定アドレス情報を含む固定データを記憶するものであって、前記固定データを他の電気機器と共通するアドレスである特定アドレスに記憶する固定記憶部と、前記携帯端末装置と通信を行う機器通信部と、前記可変記憶部及び前記固定記憶部からデータを読み出し、その読み出された読出データを前記機器通信部によって前記携帯端末装置へ送信させるアクセス制御部として動作可能であり、前記携帯端末装置は、前記機器通信部と通信を行う携帯通信部と、前記サーバ装置と前記ネットワークを介して通信するネットワーク通信部と、前記特定アドレスを記憶する特定アドレス記憶部と、前記携帯通信部によって前記機器通信部へ、前記特定アドレスを指定する前記固定記憶部の読出し要求を送信させることにより、前記機器通信部から前記固定データを前記読出データとして送信させ、前記固定データを取得する固定データ取得部と、前記固定データ取得部によって取得された前記固定データに含まれる前記設定アドレス情報を取得し、前記取得された設定アドレス情報に基づき読出しアドレスを指定する前記可変記憶部の読出し要求を、前記携帯通信部によって前記機器通信部へ送信させることにより、前記機器通信部から前記目的データを前記読出データとして送信させ、前記送信された読出データから前記目的データを取得する目的データ取得部と、前記目的データ取得部により取得された目的データを、前記ネットワーク通信部によって前記ネットワークを介して前記サーバ装置へ送信させる通信制御部とを備える。
【０１３８】
この構成によれば、携帯端末装置の固定データ取得部によって、特定アドレスを指定する読出し要求が送信されて、電気機器の特定アドレスに配置された固定記憶部から固定データが取得される。特定アドレスは、ある電気機器と他の電気機器とで共通するアドレスであるから、固定データを読み出そうとする電気機器が、いずれの電気機器であっても、特定アドレス記憶部に予め特定アドレスを記憶しておくことによって、固定データ取得部は、同じ特定アドレスを指定してその電気機器から、固定データを取得することができる。従って、電気機器に記憶されている固定データを、アドレスを指定して読み出すことが容易である。そして、固定データには、サーバ装置へ送信するべきデータである目的データが記憶されている設定記憶領域のアドレスを示す設定アドレス情報が含まれている。携帯端末装置の目的データ取得部は、固定データに含まれる設定アドレス情報を取得し、その設定アドレス情報に基づき読出しアドレスを指定して、可変記憶部の読出し要求を行うことによって、機器通信部から目的データを読出データとして送信させ、送信された読出データから目的データを取得することができる。従って、複数の電気機器相互間で目的データが記憶されているアドレスが異なっている場合であっても、電気機器に記憶されているデータを、アドレスを指定して読み出すことが容易となる。
【０１３９】
また、前記電気機器は、前記目的データを暗号化する機器暗号化部をさらに備え、前記アクセス制御部は、前記機器通信部によって、前記可変記憶部の読出し要求が受信されたとき、前記受信された読出し要求により指定された読出しアドレスから読み出された読出データを、前記暗号化部によって暗号化させ、前記暗号化された読出データを、前記機器通信部によって前記携帯端末装置へ送信させ、前記目的データ取得部は、前記暗号化された目的データを取得し、前記通信制御部は、前記暗号化された目的データを前記ネットワーク通信部によって前記サーバ装置へ送信させ、前記サーバ装置は、前記サーバ通信部によって前記暗号化された目的データが受信された場合、前記暗号化された目的データを復号化するサーバ復号化部を備えることが好ましい。
【０１４０】
この構成によれば、電気機器から携帯端末装置へ送信される目的データは、暗号化部によって暗号化されて送信される。また、携帯端末装置の通信制御部は、暗号化された目的データを暗号化されたままサーバ装置へ送信する。そして、サーバ装置において、サーバ復号化部によって、暗号化された目的データが復号化される。従って、携帯端末装置では目的データは暗号化された状態にされるので、セキュリティの確保が困難な携帯端末装置を用いた場合であっても、目的データのセキュリティを確保することが容易である。
【０１４１】
また、前記サーバ装置は、暗号の復号化に用いる暗号鍵を予め複数、前記各暗号鍵を識別する鍵識別情報と対応付けて記憶する暗号鍵記憶部をさらに備え、前記固定データは、前記複数の暗号鍵のうち前記暗号化された目的データを復号化するための暗号鍵を識別する鍵識別情報を含み、前記通信制御部は、さらに、前記固定データ取得部により取得された前記固定データに含まれる鍵識別情報を前記ネットワーク通信部によって前記サーバ装置へ送信させ、前記サーバ復号化部は、前記サーバ通信部によって受信された前記鍵識別情報と対応付けて前記暗号鍵記憶部に記憶されている暗号鍵を用いて、前記目的データを復号化することが好ましい。
【０１４２】
この構成によれば、電気機器から読み出された固定データに含まれる鍵識別情報が携帯端末装置からサーバ装置へ送信される。サーバ装置には、暗号鍵と暗号鍵を識別する鍵識別情報とが対応付けられて記憶されており、サーバ復号化部は、鍵識別情報と対応付けて暗号鍵記憶部に記憶されている暗号鍵を用いて、目的データを復号化する。従って、暗号鍵そのものが通信により送受信されることがないから、暗号強度を高めることが容易である。また、暗号鍵を電気機器（商品）ごとに切替えておくことで、１つの暗号鍵のセキュリティーが何らかの理由で破られても、他の電気機器へ影響することを防ぐことができる。
【０１４３】
また、前記携帯端末装置は、前記固定データが示す一又は複数の情報の意味と、前記固定データ中の、前記一又は複数の情報が配置される位置とを示すフォーマット情報を、複数、前記各フォーマット情報を識別するフォーマット識別情報と対応付けて予め記憶するフォーマット情報記憶部をさらに備え、前記固定データは、自データに対応する前記フォーマット識別情報を含み、前記目的データ取得部は、前記固定データに含まれる前記フォーマット識別情報と対応付けて前記フォーマット情報記憶部に記憶されたフォーマット情報に基づいて、前記固定データ取得部によって取得された前記固定データから、前記設定アドレス情報を取得することが好ましい。
【０１４４】
この構成によれば、固定データが示す情報の意味とその情報が配置される位置とが、フォーマット情報によって定められる。このようなフォーマット情報が複数、フォーマット情報記憶部に、フォーマット識別情報と対応付けて予め記憶されている。そして、目的データ取得部は、固定データに含まれるフォーマット識別情報に対応するフォーマット情報に基づいて、固定データ取得部によって取得された前記固定データから、設定アドレス情報を取得する。従って、固定データに含まれるフォーマット識別情報を変更することによって、固定データが示す情報の意味とその情報が配置される位置とを自由に変更することができる。
【０１４５】
また、前記電気機器は、前記可変記憶部に前記目的データを記憶させる機器制御部をさらに備え、前記機器制御部は、前記可変記憶部の、前記目的データが記憶された記憶領域のアドレスを示す情報を、前記設定アドレス情報として前記固定記憶部に記憶させることが好ましい。
【０１４６】
この構成によれば、機器制御部は、目的データが記憶された可変記憶部の記憶領域のアドレスを示す情報を、設定アドレス情報として固定記憶部に記憶させることができるので、可変記憶部に目的データが実際に記憶されるアドレスに応じて、適切な設定アドレス情報を固定記憶部に記憶させることができる。
【０１４７】
また、前記可変記憶部は、第１可変記憶部と第２可変記憶部とを含み、前記機器制御部は、前記目的データを前記第１可変記憶部に記憶させ、前記アクセス制御部は、前記機器通信部によって受信された、前記可変記憶部の前記読出し要求が、前記第１可変記憶部の読み出し要求であった場合、前記読出し要求により指定されたアドレスを指定して前記機器制御部に前記第１可変記憶部の読み出しを要求し、前記機器制御部により読み出されたデータを取得することによって間接的に前記第１可変記憶部から前記目的データを読出すことが好ましい。
【０１４８】
この構成によれば、可変記憶部が、第１可変記憶部と第２可変記憶部とを含み、第１可変記憶部が機器制御部により管理されている場合であっても、アクセス制御部は、読出し要求により指定されたアドレスを指定して間接的に第１可変記憶部から目的データを読出すことができる。
【０１４９】
また、前記アクセス制御部は、前記機器通信部によって受信された、前記可変記憶部の前記読出し要求が、前記第２可変記憶部の読み出し要求であった場合、直接前記第２可変記憶部から前記第２可変記憶部に記憶された目的データを読出すことが好ましい。
【０１５０】
この構成によれば、第２可変記憶部の読み出し要求があった場合、アクセス制御部は、直接第２可変記憶部から目的データを読出すので、目的データの読出しを速やかに実行することができる。
【０１５１】
また、前記固定データは、自データが正しいか否かを確認するための誤り検出符号を含み、前記固定データ取得部は、前記取得された固定データが正しいか否かを、その固定データに含まれる誤り検出符号に基づき判定することが好ましい。
【０１５２】
この構成によれば、固定データ取得部は、取得された固定データが正しいか否かを、その固定データに含まれる誤り検出符号に基づき判定することができるので、取得された固定データの信頼性が向上する。
【０１５３】
また、前記可変記憶部は、前記電気機器へ動作を指示するための制御命令の書込を受け付ける命令受付領域を含み、前記固定データは、前記命令受付領域のアドレスを示す制御命令書込アドレスを含み、前記携帯端末装置は、ユーザの操作指示を受け付ける操作部を備え、前記通信制御部は、前記操作部によって前記操作指示が受け付けられた場合、前記操作指示を前記ネットワーク通信部によって前記サーバ通信部へ送信させ、前記サーバ装置は、前記サーバ通信部によって前記操作指示が受信された場合、前記操作指示に応じた制御命令を生成し、前記生成された制御命令を前記サーバ通信部によって前記ネットワーク通信部へ送信させる制御命令送信処理を行うサーバ制御部をさらに備え、前記通信制御部は、前記固定データ取得部によって取得された前記固定データに含まれる前記制御命令書込アドレスを取得し、前記ネットワーク通信部によって受信された前記制御命令を、前記制御命令書込アドレスを指定して前記携帯通信部によって前記機器通信部へ送信させることが好ましい。
【０１５４】
この構成によれば、電気機器へ動作を指示するための制御命令の書込を受け付ける命令受付領域のアドレスを示す制御命令書込アドレスが、固定データに含まれているので、複数の電気機器相互間で制御命令書込アドレスが異なっている場合であっても、各電気機器に対応する制御命令書込アドレスを取得することができる。その結果、複数の電気機器相互間で制御命令書込アドレスが異なっている場合であっても、制御命令書込アドレスを指定して電気機器へ制御命令を書き込むことが容易である。
【０１５５】
また、前記サーバ制御部は、前記制御命令送信処理において、前記制御命令を暗号化することが好ましい。
【０１５６】
この構成によれば、携帯端末装置で受信される制御命令は暗号化されているので、セキュリティの確保が困難な携帯端末装置を用いた場合であっても、制御命令のセキュリティを確保することが容易である。
【０１５７】
また、前記機器通信部が、前記携帯通信部との間で行う前記通信は、近距離無線通信であることが好ましい。
【０１５８】
機器通信部と、携帯通信部との間の通信が近距離無線通信である場合、ユーザが不特定の電気機器に携帯端末装置を近接させることにより通信が開始されるので、ユーザが携帯端末装置を近接させる相手の電気機器を予め特定することが困難である。従って、ユーザが携帯端末装置を近接させる相手の電気機器に目的データが記憶されているアドレスを、近距離無線通信の開始前に予め特定することができない。このように、機器通信部と、携帯通信部との間で近距離無線通信が行われ、近距離無線通信の開始前に電気機器に目的データが記憶されているアドレスを予め特定することができない場合であっても、前記通信システムによれば、データを記憶する電気機器から、アドレスを指定して目的データを読み出すことができる。
【０１５９】
このような構成の通信システム、電気機器、及び携帯端末装置は、電気機器に記憶されているデータを、アドレスを指定して電気機器の外部に読み出すことが容易である。
【０１６０】
この出願は、２０１２年２月２８日に出願された日本国特許出願特願２０１２−０４１８７２号を基礎とするものであり、その内容は、本願に含まれるものである。
【０１６１】
なお、発明を実施するための形態の項においてなされた具体的な実施態様又は実施例は、あくまでも、本発明の技術内容を明らかにするものであって、そのような具体例にのみ限定して狭義に解釈されるべきものではなく、本発明の精神と次に記載する特許請求事項との範囲内で、種々変更して実施することができるものである。
【産業上の利用可能性】
【０１６２】
本発明に係る通信システム、電気機器、及び携帯端末装置は、データを記憶する電気機器から、アドレスを指定して電気機器の外部にデータを読み出す通信システムとして有用である。
【図１】
0005988246.tif 000002
【図２】
0005988246.tif 000003
【図３】
0005988246.tif 000004
【図４Ａ】
0005988246.tif 000005
【図４Ｂ】
0005988246.tif 000006
【図５Ａ】
0005988246.tif 000007
【図５Ｂ】
0005988246.tif 000008
【図６】
0005988246.tif 000009
【図７】
0005988246.tif 000010
【図８】
0005988246.tif 000011
【図９】
0005988246.tif 000012
【図１０】
0005988246.tif 000013
【図１１】
0005988246.tif 000014